(57)【要約】      （修正有）【課題】整形外科又は脳神経外科で脛椎前方固定術を施術する場合に使用される脛椎固定装置を提供する。【解決手段】プレート１０に形成された少なくとも一つ以上の挿入孔２０にネジが挿入され、挿入孔２０とプレート１０の中心間にプレートを貫通して形成された拡張溝５０、拡張溝５０の内部に形成され、ガイド３０とプレート１０の中心方向に押す力を付与するテンション部４０と、挿入孔２０と拡張溝５０の境界に形成され、段差面を両側に形成したチャンネル溝と、前記チャンネル溝に結合され、チャンネル溝上で左右に回動し、テンション部４０の押す力によって前後に回動して挿入孔内接するネジをロックするガイドとを含んで構成されることを特徴とする自己テンション部を有する頸椎固定装置である。【選択図】図１
2014030719.tif 000002
【特許請求の範囲】
【請求項１】
平板状のプレートに形成された少なくとも一つ以上の挿入孔にネジが挿入される脛椎固定装置において、
前記挿入孔とプレートの中心間にプレートを貫通して形成された拡張溝と、
前記挿入孔と前記拡張溝の境界に形成され、段差面を両側に形成したチャンネル溝と、
前記チャンネル溝に結合され、チャンネル溝上で左右に回動し、前記挿入孔に内接するネジをロックするガイドと、
前記ガイドをプレートの中心方向に押す力を付与し、前記ガイドが前記チャンネル溝上で前後に回動するように作用するテンション部と、
を含んで構成されることを特徴とする、前記脛椎固定装置。
【請求項２】
前記テンション部は、
前記拡張溝の縁の一側からプレートの中心方向に延長して形成されるベースと、
前記ベースの末端で前記ガイドに向かって曲がった第１折曲部と、
前記第１折曲部の末端で前記ガイドの連結面と平行に曲がった第２折曲部と、
前記第２折曲部とガイドの連結面との接触面をなすアームを含んで構成されることを特徴とする、請求項１に記載の脛椎固定装置。
【請求項３】
前記ガイドは、
水平方向に延長された平板状の上部顎と下部顎が垂直方向に延長された連結面と結合されて一体となる形状であり、
前記上部顎の底面と下部顎の上面の間に前記プレートのチャンネル溝部分が結合され、
前記上部顎の底面がネジのヘッド部分の上面に接触し、ネジをロックすることを特徴とする、請求項２に記載の脛椎固定装置。
【請求項４】
前記ガイドは、
水平方向に延長された平板状の上部顎と下部顎が垂直方向に延長された連結面によって一体に結合されたガイドであり、
前記ガイド２つを一組として一側のガイドの連結面と他側のガイドの連結面の内側に弾性のテンション部が取り付けられ、
前記テンション部は、前記チャンネル溝の下端部に形成された挿入溝に挿入され、各ガイドの上部顎の底面と下部顎の上面の間にチャンネル溝が内接することにより、各ガイドがチャンネル溝に結合され、
結合されたガイドの上部顎の底面がネジのヘッド部分の上面に接触し、ネジをロックすることを特徴とする、請求項１に記載の脛椎固定装置。
【発明の詳細な説明】
【技術分野】
【０００１】
本発明は、整形外科又は脳神経外科で脛椎前方固定術を施術する場合に使用される脛椎固定装置に関するもので、より詳細には、プレートに形成された少なくとも一つ以上の挿入孔にネジが挿入され、前記挿入孔とプレートの中心間にプレートを貫通して形成された拡張溝と、前記拡張溝の内部に形成され、前記ガイドをプレートの中心方向に押す力を付与するテンション部と、前記挿入孔と前記拡張溝の境界に形成され、段差面を両側に形成したチャンネル溝と、前記チャンネル溝に結合され、チャンネル溝上で左右に回動し、前記テンション部の押す力によって前後に回動して前記挿入孔に内接するネジをロックするガイドとを含んで構成されていることを特徴とする自己テンション部を有する頸椎固定装置に関する。
【背景技術】
【０００２】
一般的に、整形外科又は脳神経外科で脛椎椎間板疾患（ｃｅｒｖｉｃａｌ  ｄｉｓｃ  ｄｉｓｅａｓｅ）、脛椎ディスク、脛椎性脊髄症、脛椎骨折等の治療時に、脛椎をなすそれぞれの椎体を動きがないように固定しなくてはならないが、このために板状のプレート（ｐｌａｔｅ）とプレートを脛椎に固定するネジ（ｓｃｒｅｗ）からなる頸椎固定装置が使用される。
【０００３】
前記脛椎固定装置の施術を簡単に説明すると、患者の首部分の前方部位で患部を切開し、脛椎を露出させた後、患部の脛椎ディスク（ｄｉｓｃ）を除去し、ケージ（ｃａｇｅ）等の施術物をディスクが除去された椎体間に施術してから、ケージが挿入された部分の上の椎体と下の椎体にプレートを位置させ、これをネジで固定する方法で頸椎固定装置の施術がなされる。
【０００４】
このように施術された頸椎固定装置は、ネジの固定力とプレートの支持力によって椎体の間に挿入されたケージを動かないように固定するようになる。
【０００５】
しかし、施術後の患者の活動等によって椎体に固定されたネジが緩まり、プレートから後退する現象が発生することがあり、これはケージの振動を引き起こして患者の回復を阻害する要素として作用するようになる。
【０００６】
そのため、頸椎固定装置のネジが緩んで後退する現象を防ぐために、従来、大韓民国特許公開第１０−２００９−８６３８７号の頸部板システム（公知技術１）及び大韓民国特許公開第１０−２００５−１１１６７号の頸椎固定装置（公知技術２）の技術が開示されている。
前記の公知技術１は、脛椎板システムのプレート上にネジの穴の内部に挿入可能に設置される回転要素を備えた構成であり、前記公知技術２は、プレート状に形成された固定ネジ挿入口の間に固定ネジの頭部分に掛かる頭部固定部材を設置した構成である。
【０００７】
しかし、前記の公知技術１及び２のネジの後退を防止するための構成要素である回転要素（公知技術１）及び頭部固定部材（公知技術２）が必須的に使用されるため、それだけ部品の個数が増加するのはもちろん、その構造と作動が複雑になる短所があり、さらに脛椎固定装置の製造費用が増加するだけでなく、装置が誤作動する可能性も排除できないという点が懸念される。
【発明の開示】
【発明が解決しようとする課題】
【０００８】
本発明は、上述のような従来の諸般の問題点を解消しようと創案されたものであり、頸椎固定装置の施術時にプレートに多様な角度で挿入される固定ネジを強固に固定してネジの後退を防止することができ、さらに脛椎固定装置の施術を容易に行うことができる頸椎固定装置の構成を提供することに本発明の技術的課題がある。
【課題を解決するための手段】
【０００９】
前記のような技術的課題を達成するための本発明の頸椎固定装置は、プレートに形成された少なくとも一つ以上の挿入孔にネジが挿入され、前記挿入孔とプレートの中心間にプレートを貫通して形成された拡張溝と、前記拡張溝の内部に形成され、前記ガイドをプレートの中心方向に押す力を付与するテンション部と、前記挿入孔と前記拡張溝の境界に形成され、段差面を両側に形成したチャンネル溝と、前記チャンネル溝に結合され、チャンネル溝上で左右に回動し、前記テンション部の押す力によって前後に回動して前記挿入孔に内接するネジをロックするガイドとを含んで構成されることを特徴とする。
【発明の効果】
【００１０】
前記のような構成を有する本発明の頸椎固定装置は、ネジ挿入口の内部で一定の角度で回動するガイドが、多様な角度で挿入されるネジのヘッド部分に沿って密着固定されることにより、ネジの進入角度に関係なく、ネジを強固に固定させることができる効果がある。
また、施術者が固定ネジの進入角度を気にしなくてすむため、頸椎固定装置の施術がより簡単かつ容易になされることができるという長所を得ており、これらの利点によって施術時間の短縮をもたらすことができる進歩した発明である。
【図面の簡単な説明】
【００１１】
【図１】本発明の第１実施例の頸椎固定装置の斜視図である。
【図２】本発明の第１実施例の頸椎固定装置の平面図である。
【図３】本発明の第１実施例の頸椎固定装置の分解斜視図である。
【図４】本発明の第１実施例の頸椎固定装置のガイドの作動状態を示した図である。
【図５】本発明の第１実施例の頸椎固定装置のガイドの作動状態を示した図である。
【図６】本発明の頸椎固定装置の第１実施例のネジ挿入時の作動状態図である。
【図７】本発明の頸椎固定装置の第１実施例のネジ挿入状態の斜視図である。
【図８】本発明の第２実施例の頸椎固定装置の斜視図である。
【図９】本発明の第２実施例の頸椎固定装置の平面図である。
【図１０】本発明の第２実施例の頸椎固定装置の底面図である。
【図１１】本発明の第２実施例の頸椎固定装置の分解斜視図である。
【図１２】図９のＡ−Ａ’線断面図である。
【図１３】本発明の第２実施例の頸椎固定装置のガイドの作動状態を示した図である。
【図１４】本発明の第２実施例の頸椎固定装置のネジ挿入時の作動状態図である。
【発明を実施するための形態】
【００１２】
以下、図面を参照して本発明の自己テンション部を有する頸椎固定装置の構成を詳細に説明する。ただし、開示された図面は、当業者に本発明の思想が十分に伝達されるようにするための例として提供されるものである。したがって、本発明は、以下提示される図面に限定されず、他の態様で具体化されることもできる。また、本発明の明細書で使用される用語において、他の定義がない場合は、本発明が属する技術分野で通常の知識を有する者が一般的に理解している意味を有し、下記の説明及び添付図面で本発明の要旨を不必要に不明確にし得る公知機能及び構成についての詳細な説明は省略する。
【００１３】
図１は本発明の第１実施例の頸椎固定装置の斜視図、図２は本発明の第１実施例の頸椎固定装置の平面図、図３は本発明の第１実施例の頸椎固定装置の分解斜視図である。
【００１４】
図面を参照すると、本発明の第１実施例の頸椎固定装置１は、平板状のプレート１０を備える。
【００１５】
前記プレート１０の材質は、好ましくはチタン（Ｔｉｔａｎｉｕｍ）等の剛性の金属素材である。
【００１６】
前記プレート１０の形状は四角形であり、各角部分は曲面からなっている。そして、前記プレート１０のそれぞれの角の内側にプレート１０を脛椎に固定するネジ１００が挿入される少なくとも一つ以上の挿入孔２０がプレート１０を貫通して穿孔されている。
【００１７】
図面の第１実施例は、前記挿入孔２０が４つ形成されたものとして示されているが、脛椎固定施術の固定レベル（ｌｅｖｅｌ）に応じて挿入孔を２つ、６つ、８つ、またはそれ以上の個数で形成することができる。
【００１８】
そして、前記挿入孔２０の内壁２１は、後述するネジ１００のヘッド１０１部分の形状に噛合される曲面をなしている。
【００１９】
また、前記挿入孔２０とプレート１０の中心間にプレート１０を貫通して形成された拡張溝５０を有し、前記挿入孔２０と拡張溝５０の境界には、プレート１０の表面から所定の高さの段差面２３を両側に形成したチャンネル溝２２が形成される。
【００２０】
前記チャンネル溝２２には、後述するガイド３０が内接し、内接したガイド３０がネジ１００の進入方向を追従しながらチャンネル溝２２で左右方向に回動することができる。
【００２１】
前記ガイド３０は、略コの字状からなった部材であり、具体的には、水平方向に延長された平板状の上部顎３１と下部顎３２が垂直方向に延長された連結面３３と結合されて一体になった形状である。
【００２２】
前記のようなガイド３０は、プレート１０に形成されたチャンネル溝２２が上部顎３１の底面３１ａと下部顎３２の上面３２ａの間に内接されることにより相互結合される。
すると、このように結合された状態のガイド３０の上部顎３１は、前記チャンネル溝２２の上面を通過して挿入孔２０の中心方向に突出し、突出した上部顎３１の底面３１ａが挿入孔２０に進入するネジ１００のヘッド１０１部分の上面と接触してネジ１００をロック（ｌｏｃｋｉｎｇ）し、ネジ１００が後退しないようにする掛り作用を付与する。
【００２３】
このように結合されたガイド３０は、図４に示すように、前記上部顎４１と下部顎４２が、前記チャンネル溝２２の両側の段差面２３に引っ掛かるまで左右方向に回動が可能である。
【００２４】
また、前記ガイド３０をプレート１０の中心方向に押すテンション部４０が前記拡張溝５０の内部に形成される。
【００２５】
前記テンション部４０は、図２及び図３に示すように、拡張溝２０の縁の一側からプレート１０の中心方向に延長されて形成されるベース４１と、前記ベース４１の末端で前記ガイド３０に向かって曲がった（ｂｅｎｄｉｎｇ）第１折曲部４２と、前記第１折曲部４２の末端で前記ガイド３０の連結面３３と平行に曲がった第２折曲部４３からなっており、前記第２折曲部４３とガイド３０の連結面３３との接触面はアーム４５（ａｒｍ）をなす。
【００２６】
この際、前記テンション部４０のベース４１の末端からまた他の挿入孔２０のためにもう一つのテンション部４０が形成されることができるが、前記もう一つのテンションが形成され始める地点は分岐部４４をなすようになる。
【００２７】
前記テンション部４０のアーム４５は、第１折曲部４２と第２折曲部４３のベンディング形状による弾性が作用することにより、アーム４５と接触するガイド３０を押す力を持つ自己テンション（ｓｅｌｆ−ｔｅｎｓｉｏｎ）力を持つようになる。
【００２８】
したがって、図５に示すように、前記ガイド３０がアーム４５のテンション力によってプレート１０の中心方向の後方に押されたり、挿入孔２０の中心方向に復帰する作動を行うことができる。
【００２９】
以下、前記のように構成された本発明の第１実施例の自己テンション部を有する頸椎固定装置の作動を詳細に説明する。図６及び図７は、本発明の第１実施例の頸椎固定装置の作動状態図である。
【００３０】
まず、図６の左図に示すように、本発明の第１実施例の頸椎固定装置のプレート１０を固定し、上部のヘッド１０１部分と下部のネジ本体１０２からなるネジ１００がプレート１０の挿入孔２０に進入する。
【００３１】
すると、下方に進入するネジ１００のヘッド１０１部分とガイド３０が接触し、テンション部４０のアーム４５によって弾性力が付与された状態のガイド３０が進入するヘッド１０１の側面１０１ａによってプレート１０の中心方向である後方に押されるようになる。この状態は、まだネジ１００によってプレートが固定されていない「アンロック（Ｕｎｌｏｃｋ）」状態である。
【００３２】
しかし、前記のネジ１００が挿入孔２０にさらに進入するようになると、前記ヘッド１０１が上部顎３１の傾斜面に沿って下降して上部顎３１と下部顎３２の間の空間に凹入され、この時、ネジ１００のヘッド１０１とガイド３０との接触が解除され、後方に押された状態のアーム４５のテンション力によって前方に突出しながらガイド３０を挿入孔２０の中央方向に押すようになる。
【００３３】
すると、図６の右図に示すように、チャンネル２２の上面を通過して挿入孔２０の中心方向に突出する上部顎３１の底面３１ａがネジ１００のヘッド１０１部分の上面に接触し、ネジ１００のヘッド１０１の上面が上部顎３１の底面３１ａによって引っ掛かり、ネジ１００を「ロック（ｌｏｃｋｉｎｇ）」状態にする。
【００３４】
このようなネジ１００のロック状態では、ネジ１００のヘッド１０１がガイド３０の上部顎３１によって引っ掛かるようになるため、脛椎固定装置のネジ後退現象を防止することになる。
【００３５】
図７は、このようにロックされた状態の本発明の第１実施例の頸椎固定装置の部分断面を図示したもので、挿入孔２０の内壁２１を一部切開した状態の断面図である。
【００３６】
図７の左側に示すように、本発明の頸椎固定装置は、ネジ１００がプレート１０に垂直方向に進入してロックすることができるのは勿論のこと、さらには、本発明の脛椎固定装置は、図７の右側の図面に示されるように、ネジ１００がプレート１０に垂直方向ではない所定の偏差角（α）を持って進入した場合、進入するネジ１００のヘッド１０１部分の偏差角度（α）に応じて、ガイド３０がその結合されたチャンネル溝２２の上で左方向または右方向に回動し、回動したガイド３０の上部顎３１にネジ１００のヘッド１０１が引っ掛かるようになる。
【００３７】
したがって、前述した従来の多様な角度で挿入されるネジが引き起こし得る頸椎固定ネジの施術上の問題点を一挙に解消することができるようになるだけでなく、施術者が固定ネジの進入角度に注意しなくても頸椎固定装置のネジ固定を容易に行うことができるという長所を得ることになる。
【００３８】
次に、本発明の第２実施例の頸椎固定装置の構成と作動を説明する。本発明の第２実施例の頸椎固定装置２は、第１の実施例と対比してガイド３０とテンション部４０の構成が変形されたものであり、以下、図８ないし図１１を参照してその構成と動作を詳細に説明する。
【００３９】
図８は本発明の第２実施例の頸椎固定装置の斜視図、図９は本発明の第２実施例の頸椎固定装置の平面図、図１０は本発明の第２実施例の頸椎固定装置の底面図、図１１は図９のＡ−Ａ’線断面図、図１２は、本発明の第２実施例の頸椎固定装置の分解斜視図である。
【００４０】
図８ないし図１０を参照すると、本発明の第２実施例の頸椎固定装置２は、平板状のプレート１１０を備え、前記プレート１１０の材質は、前述した第１実施例と同様に好ましくはチタン（Ｔｉｔａｎｉｕｍ）等の剛性の金属素材である。
【００４１】
前記のプレート１１０の形状は四角形であり、各角部分は曲面からなる。
【００４２】
また、前記プレート１１０のそれぞれの角の内側にプレート１１０を脛椎に固定するネジ１００が挿入される少なくとも一つ以上の挿入孔１２０がプレート１１０を貫通して穿孔されており、前述した第１実施例と同様に脛椎固定施術の固定レベル（ｌｅｖｅｌ）に応じて挿入孔を２つ、６つ、８つ、またはそれ以上の個数で形成可能である。
【００４３】
そして、前記挿入孔１２０の内壁１２１は、ネジ１００のヘッド１０１部分の形状に噛合される曲面をなしている。
【００４４】
また、前記挿入孔１２０とプレート１１０の中央に形成された通孔１１１の間にプレート１１０を貫通して形成された拡張溝１５０を有し、前記挿入孔１２０と拡張溝１５０の境界には、プレート１１０の表面から所定の高さの段差面１２３を両側に形成したチャンネル溝１２２が形成される。
【００４５】
前記チャンネル溝１２２には、挿入孔１２０に挿入されるネジ１００をロック（ｌｏｃｋｉｎｇ）するガイド１３０が内接する。
【００４６】
図１１の分解斜視図で示されているように、前記ガイド１３０は、水平方向に延長された平板状の上部顎１３１と下部顎１３２が垂直方向に延長された連結面１３３によって一体に結合したものである。
【００４７】
そして、前記のようになったガイド１３０を２つ一組として、一側のガイド１３０の連結面１３３と他側のガイド１３０’の連結面１３３’の内側に弾性（ｔｅｎｓｉｏｎ）を持つ平板又は棒状のテンション部１４０を取り付ける。
【００４８】
このとき、図１２に示すように、前記テンション部１４０は、チャンネル溝１２２の下端部に形成された挿入溝１１２に挿入され、このような状態で各ガイド１３０、１３０’の上部顎１３１の底面１３１ａと下部顎１３２の上面１３２ａの間にチャンネル溝１２２が内接することにより、各ガイド１３０、１３０’は、チャンネル溝１２２に結合される。
【００４９】
すると、このように結合された状態のガイド１３０の上部顎１３１は、前記チャンネル溝１２２の上面を通過して挿入孔１２０の中心方向に突出し、突出した上部顎１３１の底面１３１ａが挿入孔１２０に進入するネジ１００のヘッド１０１部分の上面に接触してネジ１００をロック（ｌｏｃｋｉｎｇ）し、ネジ１００が後退しないようにする掛り作用を付与する。
【００５０】
このように結合されたガイド１３０は、図１２に示すように、前記上部顎１３１と下部顎１３２が前記チャンネル溝１２２の両側の段差面１２３に引っ掛かるまで左右方向に回動が可能である。
【００５１】
このようなガイド１３０に取り付けられたテンション部１４０は、前記ガイド１３０にプレート１１０の中心方向に押す力を持つ自己テンション（ｓｅｌｆ−ｔｅｎｓｉｏｎ）を持つことになる。
【００５２】
したがって、図１３に示すように、前記ガイド１３０がテンション部１４０のテンション力によってプレート１１０の中心に向かって押され、テンション部１４０のテンション力によって挿入孔１２０の中心方向に再び復帰する作動をすることになる。
【００５３】
一方、未説明符号１３４は、ガイド１３０の上部顎１３１に形成された穴１３４である。
【００５４】
前記のように構成された本発明の第２実施形態の自己テンション部を有する頸椎固定装置２は、本発明の第１実施例の頸椎固定装置１と同一の作動を行い、このような本発明の第２実施例の頸椎固定装置２の動作を図１４の本発明の第２実施例のネジ挿入時の作動状態図を参照して説明する。
【００５５】
まず、図１４の上段図面のように、本発明の第２実施例のプレート１１０を固定させる機能のネジ１００が挿入孔１２０に進入するが、前記ネジ１００は、前述したように、上部のヘッド１０１部分と下部のネジ本体１０２からなる。
【００５６】
すると、下方に進入するネジ１００のヘッド１０１部分とガイド１３０が接触し、テンション部１４０によって弾性力が付与された状態のガイド１３０が進入するヘッド１０１の側面１０１ａによってプレート１１０の中心方向である後方に押されるようになる。この状態は、まだネジ１００によってプレートが固定されていない「アンロック（Ｕｎｌｏｃｋ）」状態である。
【００５７】
しかし、前記のネジ１００が挿入孔１２０に更に進入するようになると、前記ヘッド１０１がガイド１３０の上部顎１３１の傾斜面に沿って下降して上部顎１３１と下部顎１３２の間の空間に凹入される。
【００５８】
この時、上部顎１３１と下部顎１３２との間の空間に凹入されたネジ１００のヘッド１０１とガイド１３０との接触が解除され、後方に押された状態のテンション部１４０のテンション力によってガイド１３０が再び挿入孔１２０の中央方向に復帰する。
【００５９】
すると、図１４の下段の図面に示されるように、チャンネル１２２の上面を通過して挿入孔１２０の中心方向に突出する上部顎１３１の底面１３１ａがネジ１００のヘッド１０１部分の上面と接触し、この状態でネジ１００のヘッド１０１の上面が上部顎１３１の底面１３１ａによって引っ掛かってネジ１００を「ロック（ｌｏｃｋｉｎｇ）」状態にするようにする。
【００６０】
このようなネジ１００のロック状態では、ネジ１００のヘッド１０１がガイド１３０の上部顎１３１によって引っ掛かるようになるため、脛椎固定装置のネジ後退現象を防止することになる。
【００６１】
一方、前記のように作動する本発明の第２実施例の頸椎固定装置２は、ネジ１００がプレートに垂直方向ではない所定の偏差角（α）を持って進入した場合にも、進入するネジ１００のヘッド１０１部分の偏差角度（α）に応じて、ガイド１３０がその結合されたチャンネル溝１２２の上で左方向または右方向に回動することができ、前述した第１実施例の頸椎固定装置１が持っている施術時の固定ネジの進入角度に注意する必要なく、頸椎固定装置のネジ固定を簡単に行うことができるという利点を得るようになる。
【００６２】
以上の説明で、本発明の自己テンション部を有する頸椎固定装置の構成を添付図面を参照して詳細に説明したが、本発明は、当業者によって多様な修正、変更及び置換が可能であり、これらの修正、変更及び置換は、本発明の保護範囲に属するものと解釈されるべきものである。
【符号の説明】
【００６３】
１；本発明の第１実施例の頸椎固定装置
１０；プレート
２０；ネジ挿入孔
２１；内壁                 
２２；チャンネル溝
２３；段差面
３０；ガイド
３１；上部顎              
３１ａ；上部顎の底面
３２；下部顎              
３２ａ；下部顎の底面
３３；連結面
４０；テンション部
４１；ベース               
４２；第１折曲部
４３；第２折曲部         
４４；分岐部
４５；アーム
５０；拡張溝
１００；ネジ
１０１；ヘッド              
１０１ａ；ヘッド側面
１０２；本体
２；本発明の第２実施例の頸椎固定装置
１１０；プレート
１１１；通孔               
１１２；挿入溝
１２０；ネジ挿入孔
１２１；内壁               
１２２；チャンネル溝
１２３；段差面
１３０；ガイド
１３１；上部顎            
１３１ａ；上部顎の底面
１３２；下部顎            
１３２ａ；下部顎の底面
１３３；連結面            
１３４；穴
１４０；テンション部
１５０；拡張溝
【図１】
2014030719.tif 000003
【図２】
2014030719.tif 000004
【図３】
2014030719.tif 000005
【図４】
2014030719.tif 000006
【図５】
2014030719.tif 000007
【図６】
2014030719.tif 000008
【図７】
2014030719.tif 000009
【図８】
2014030719.tif 000010
【図９】
2014030719.tif 000011
【図１０】
2014030719.tif 000012
【図１１】
2014030719.tif 000013
【図１２】
2014030719.tif 000014
【図１３】
2014030719.tif 000015
【図１４】
2014030719.tif 000016